(57)【要約】【課題】低コストで製造でき、かつ、楽器を安定的に支持することができる楽器支持具を提供する。【解決手段】楽器支持具１は、装着時に使用者の両肩にそれぞれ掛けられる一対の掛けバンド１０，２０と、その各々の一端部間を連結する第１の連結紐３０と、第１の連結紐３０に取り付けられるとともに、楽器を取り付け可能なフック部材４０と、掛けバンド１０，２０の各々の他端部間を連結する第２の連結紐５０と、第２の連結紐５０の長さを調整可能な第２の連結紐調整部材６０と、装着時の使用者の背中位置において掛けバンド１０，２０間を連結可能なバンド連結紐７０とを備え、フック部材４０は、環状の紐通し部４１を備えており、第２の連結紐５０は、その紐通し部４１を介して一対の掛けバンド１０，２０の各々の他端部間を連結する構成とする。【選択図】図１
0003214003.tif 000002
【実用新案登録請求の範囲】
【請求項１】
使用者に装着され、楽器を吊り下げ可能な楽器支持具であって、
装着時に使用者の両肩にそれぞれ掛けられる一対の掛けバンドと、
前記一対の掛けバンドの各々の一端部間を連結する第１の連結紐と、
前記第１の連結紐に取り付けられるとともに、楽器を取り付け可能なフック部材と、
前記一対の掛けバンドの各々の他端部間を連結する第２の連結紐と、
前記第２の連結紐の長さを調整可能な第２の連結紐調整部材と、
装着時の使用者の背中位置において前記一対の掛けバンド間を連結可能なバンド連結紐と
を備え、
前記フック部材は、環状の紐通し部を備え、
前記第２の連結紐は、前記紐通し部を介して前記一対の掛けバンドの各々の他端部間を連結する
ことを特徴とする楽器支持具。
【請求項２】
請求項１に記載の楽器支持具であって、
前記一対の掛けバンドの各々の一端部と前記フック部材との間の前記第１の連結紐の長さを調整可能な第１の連結紐調整部材を備える
ことを特徴とする楽器支持具。
【考案の詳細な説明】
【技術分野】
【０００１】
本考案は、楽器支持具に関し、特に、使用者に装着され、サクソフォーン等の楽器を吊り下げ可能な楽器支持具に関する。
【背景技術】
【０００２】
従来、この種の楽器支持具としては、例えば、下記の特許文献１に示すような首掛け式のものが知られている。この首掛け式の楽器支持具（楽器用ストラップ）は、楽器を首のみで支えることになるため首が疲れやすい、姿勢が悪くなるなどの欠点があった。
【０００３】
そこで、これらの欠点を改善すべく、例えば、下記の特許文献２に示すような肩掛け式の楽器支持具が考案されている。この肩掛け式の楽器支持具によれば、主に肩で楽器を支えることになるので、首掛け式の場合と比べて疲れにくい、姿勢が改善されるなどの利点がある。
【先行技術文献】
【特許文献】
【０００４】
【特許文献１】実開昭５７−９０４９２号公報
【特許文献２】実開平５−７１８９６号公報
【考案の概要】
【考案が解決しようとする課題】
【０００５】
しかしながら、前述した特許文献２に開示されている楽器支持具は、１本の掛けバンドをフック部材の取り付け位置においてＶ字状に折り返した構造等を有しており、この構造等に対応すべく、複雑な形状のフック部材を用いている。そのため、製造コストが高くなってしまうという欠点があった。
【０００６】
また、従来の肩掛け式の楽器支持具は、掛けバンドが肩から外れやすく、楽器を安定して支持することができなかった。
【０００７】
本考案は、このような事情に鑑みてなされたもので、低コストで製造でき、かつ、楽器を安定的に支持することができる楽器支持具を提供することにある。
【課題を解決するための手段】
【０００８】
本考案の楽器支持具は、使用者に装着され、楽器を吊り下げ可能な楽器支持具であって、装着時に使用者の両肩にそれぞれ掛けられる一対の掛けバンドと、前記一対の掛けバンドの各々の一端部間を連結する第１の連結紐と、前記第１の連結紐に取り付けられるとともに、楽器を取り付け可能なフック部材と、前記一対の掛けバンドの各々の他端部間を連結する第２の連結紐と、前記第２の連結紐の長さを調整可能な第２の連結紐調整部材と、装着時の使用者の背中位置において前記一対の掛けバンド間を連結可能なバンド連結紐とを備え、前記フック部材は、環状の紐通し部を備え、前記第２の連結紐は、前記紐通し部を介して前記一対の掛けバンドの各々の他端部間を連結することを特徴とする。
【０００９】
本考案の楽器支持具では、前記一対の掛けバンドの各々の一端部と前記フック部材との間の前記第１の連結紐の長さを調整可能な第１の連結紐調整部材を備えることが好ましい。
【考案の効果】
【００１０】
本考案によれば、低コストで製造でき、かつ、楽器を安定的に支持することができる。
【図面の簡単な説明】
【００１１】
【図１】本考案の第１の実施形態に係る楽器支持具の構成の一例を示す図である。
【図２】本形態での各連結紐の取り付け手順の一例を説明するための図である。
【図３】本考案の第２の実施形態に係る楽器支持具の構成の一例を示す図である。
【図４】本形態での各連結紐の取り付け手順の一例を説明するための図である。
【考案を実施するための形態】
【００１２】
以下、本考案の実施の形態について図面を参照して説明する。図１に示す第１の実施形態に係る楽器支持具１は、使用者に装着（装着方法については後述する）されるものであり、サクソフォーン等の楽器を吊り下げ可能なものである。この楽器支持具１は、図示するように、一対の掛けバンド１０，２０と、第１の連結紐３０と、フック部材４０と、第２の連結紐５０と、第２の連結紐調整部材６０と、バンド連結紐７０とを備えている。
【００１３】
掛けバンド１０，２０は、使用者の両肩にそれぞれ掛けられるものである。この掛けバンド１０，２０は、それぞれ肩掛けに適した素材（例えば、可撓性を有する布、皮、軟質合成樹脂など）および形状（例えば、長板形状）で構成されている。この掛けバンド１０，２０の一端部には、それぞれ取付孔１１，２１が設けられている。例えば、この取付孔１１，２１は、それぞれ図示するように、円環状の金具がカシメ固定されることで形成される。同様に、掛けバンド１０，２０の他端部には、それぞれ取付孔１２，２２が設けられている。
【００１４】
第１の連結紐３０は、具体的には、楽器の吊り下げに適した素材（例えば、綿、アクリル、ポリプロピレンなど）を用いた組み紐で構成されており、一端部が取付孔１１を介して掛けバンド１０に固定され、他端部が取付孔２１を介して掛けバンド２０に固定されている。これにより、第１の連結紐３０は、掛けバンド１０の一端部と掛けバンド２０の一端部間を連結する。なお、第１の連結紐３０は、フック部材４０（具体的には、後述する紐通し部４１）を介して掛けバンド１０，２０間を連結している。このように、第１の連結紐３０にはフック部材４０が取り付けられている。
【００１５】
フック部材４０は、具体的には、楽器の吊り下げに耐え得る強度の素材（例えば、金属、硬質合成樹脂など）で構成されており、第１の連結紐３０が挿通されることで第１の連結紐３０に取り付けられるとともに、後述する第２の連結紐５０も挿通される環状の紐通し部４１と、この紐通し部４１の下方に回動自在に嵌合され、楽器の取り付けが可能なフック部４２とを有している。なお、フック部４２は、引掛けた楽器の外れを防止する外れ止め機構（具体的には、バネなどを用いて手動でフック部分を開閉自在な構造）を有している。これにより、楽器が外れてしまうことを防止することができる。ここで、本実施形態のフック部材４０は、一般的な市販品であり、紐通し部４１は、そのうちの、通常、紐状部材などが取り付けられる取り付け部分に該当する。
【００１６】
第２の連結紐５０は、具体的には、掛けバンド１０，２０の締め付けに適した素材（例えば、綿、アクリル、ポリプロピレンなど）を用いた組み紐で構成（本実施形態では、第１の連結紐３０と同様の構成としている）されており、一端部が取付孔１２を介して掛けバンド１０に固定され、他端部が取付孔２２を介して掛けバンド２０に固定されている。これにより、第２の連結紐５０は、掛けバンド１０の他端部と掛けバンド２０の他端部間を連結する。なお、第２の連結紐５０は、フック部材４０（具体的には、前述した紐通し部４１）および第２の連結紐調整部材６０を介して掛けバンド１０，２０間を連結している。このように、第２の連結紐５０にはフック部材４０および第２の連結紐調整部材６０が取り付けられている。
【００１７】
第２の連結紐調整部材６０は、具体的には、掛けバンド１０，２０の締め付けに適した素材（例えば、金属、硬質合成樹脂など）および形状（図示した例では、円盤状）で構成されており、その盤面に三角状に配置された３つの挿通孔６１，６２，６３を有している。この挿通孔６１〜６３には、それぞれ第２の連結紐５０が挿通され、これにより、第２の連結紐５０の他端部が掛けバンド２０に取り付けられるとともに、第２の連結紐５０の長さを調整可能に構成されている。
【００１８】
バンド連結紐７０は、掛けバンド１０，２０間を、装着時の使用者の背中位置において連結可能とするものである。具体的には、バンド連結紐７０は、背中の締め付けに好適なように帯状のゴム紐で構成されている。このようにゴム紐で構成することで、掛けバンド１０，２０間の長さ調整部材を不要とすることができる。バンド連結紐７０の両端部は、それぞれ環状に形成されており、各環状の端部に掛けバンド１０，２０をそれぞれ通すことでバンド連結紐７０は、掛けバンド１０，２０の長手方向に沿ってスライド可能に構成されている。これにより、掛けバンド１０，２０が肩から外れない最適な位置にバンド連結紐７０を調整することができる。なお、強度を高めるためにこの両端部を布製などで構成してもよい。
【００１９】
ここで、本実施形態での第１の連結紐３０の取り付け手順の一例について詳述する。まず、図２に示すように、第１の連結紐３０の一端部を掛けバンド１０の取付孔１１に通して止め具３１で止める。これにより、第１の連結紐３０の一端部を掛けバンド１０の一端部に取り付ける。次に、第１の連結紐３０の他端部をフック部材４０の紐通し部４１に挿通させて折り返し、一端部と同様に掛けバンド２０の取付孔２１に通して止め具３２で止める。これにより、第１の連結紐３０の他端部を掛けバンド２０の一端部に取り付ける。なお、止め具３１，３２を用いず取付孔１１，２１に直接結んでもよいし、結んだうえで止め具３１，３２を用いてさらに固定してもよい。後者の場合には、強度を高めることができる。取り付け方法は、特にこれらに限定されるものではなく、例えば、直接縫い付けたり、接着させたりするものであってもよい。以上のように取り付けることで楽器をフック部材４０に取り付けた際に、フック部材４０が第１の連結紐３０に沿ってスライド可能な構成となる。具体的には、楽器の重みによって第１の連結紐３０が撓み、その中央部にフック部材４０が位置するようになる。
【００２０】
次に、本実施形態での第２の連結紐５０の取り付け手順の一例について詳述する。まず、第２の連結紐５０の一端部を掛けバンド１０の取付孔１２に通して止め具５１で止める。これにより、第２の連結紐５０の一端部を掛けバンド１０の他端部に取り付ける。次に、第２の連結紐５０の他端部をフック部材４０の紐通し部４１に挿通させる。そして、第２の連結紐調整部材６０の挿通孔６１に裏側（図２に示す第２の連結紐調整部材６０の裏側）から通して，挿通孔６２に表側から通した後、掛けバンド２０の取付孔２２に通して折り返し、第２の連結紐調整部材６０の挿通孔６３に裏側から挿通させた後、挿通孔６１，６２間の第２の連結紐５０の下（第２の連結紐５０と第２の連結紐調整部材６０とで挟まれる状態）に通し、最後に結び目を施すことなどによって抜け防止を施す。これにより、掛けバンド１０の他端部と掛けバンド２０の他端部間を連結するとともに、第２の連結紐５０の長さ調整が可能な構成とする。このように、第２の連結紐調整部材６０は、３つの挿通孔６１〜６３によって長さ調整を可能とすることができるので、４つの挿通孔を用いる場合などと比較して、第２の連結紐調整部材６０を小型化かつ軽量化することができる。
【００２１】
以上のように構成されている楽器支持具１は、以下のようにして使用される。まず、第２の連結紐調整部材６０により第２の連結紐５０を緩めた状態において、フック部材４０が使用者の身体の前側に位置するように一対の掛けバンド１０，２０をそれぞれ両肩に掛ける。この際、バンド連結紐７０は、使用者の背中部分に位置するように調整しておく。なお、第２の連結紐５０は、使用者の胸下辺りを通る位置となるようにし、第２の連結紐調整部材６０を用いて第２の連結紐５０とともに掛けバンド１０，２０の締め付けを行う。次に、フック部材４０（具体的には、フック部４２）に楽器を取り付け楽器支持具１の装着を完了する。装着をやめる際には、楽器をフック部材４０から外し、第２の連結紐調整部材６０を用いて第２の連結紐５０を緩めてから掛けバンド１０，２０をそれぞれ両肩から外す。
【００２２】
以上説明したように、本考案の実施の形態に係る楽器支持具１によれば、フック部材４０の紐通し部４１は、第１の連結紐３０および第２の連結紐５０を挿通可能な環状の構造を有するものであればよいため、フック部材４０として一般的な既製品を流用し、そのフック部材４０における、通常、紐状部材などが取り付けられる取り付け部分を紐通し部４１とすることができる。また、掛けバンド１０，２０は、それぞれシンプルな構造（具体的には、帯状）であるため、Ｖ字状に折り返す構造である場合などと比較して、容易に形成することができる。したがって、楽器支持具１は、低コストで製造することができる。
【００２３】
また、楽器支持具１は、バンド連結紐７０によって装着時の使用者の背中位置において一対の掛けバンド１０，２０間を連結可能なため、第２の連結紐５０で使用者の身体の前部（具体的には、胸下部分）を押さえ、バンド連結紐７０で身体の後部（具体的には、背中部分）を押さえることができる。このように身体の前後から締め付けることができるので、上半身を激しく動かしたりしたような場合であっても掛けバンド１０，２０が肩から外れてしまうことを防止でき、楽器を安定的に支持することができる。さらに、フック部材４０の紐通し部４１に第２の連結紐５０を挿通させているので、第２の連結紐調整部材６０を締め付けることで、フック部材４０に取り付けた楽器の揺動を防止して安定的に支持することができる。
【００２４】
また、前述した掛けバンド１０，２０に加え、バンド連結紐７０もシンプルな構造（具体的には、帯状）であり、第２の連結紐調整部材６０も小型化されている。そして、各部材を紐状部材（第１の連結紐３０および第２の連結紐５０）で接続する構造となっている。これにより、楽器支持具１は、軽量かつ小さく折りたたむことができるので、従来の肩掛け式の楽器支持具と比較して携帯性を向上させることができる。
【００２５】
勿論、楽器支持具１は、一対の掛けバンド１０，２０をそれぞれ両肩に掛ける構造を有しており、主に肩で楽器を支えることになるので、首掛け式の場合と比べて疲れにくくすることができ、また、姿勢を改善させることができる。特に、バンド連結部７０を有するため、上半身全体で楽器を支えることができるので、非常に楽に楽器を支持することができる。
【００２６】
次に、図３を参照して、本考案の第２の実施形態について説明する。なお、前述した実施形態と同様の構成には同じ符号を付し、ここでは説明を省略する。図３に示すように、本実施形態に係る楽器支持具１Ａは、第２の連結紐調整部材６０Ａと、バンド連結紐７０Ａとが第１の実施形態に係る楽器支持具１と相違する。また、この楽器支持具１Ａは、第１の連結紐調整部材８０を備えている点においても楽器支持具１とは相違する。以下、それぞれについて説明する。
【００２７】
第２の連結紐調整部材６０Ａは、パーカーのフード用の紐の端部などに取り付けられているものと同様の係止具（所謂コードストッパー）である。具体的には、図４に示すように、第２の連結紐５０を挿通させる挿通孔を有する本体部６４と、本体部６４に挿通された第２の連結紐５０を任意の位置で係止可能な係止部６５とを有している。なお、係止部６５は、押釦状に構成されており、押した状態では、本体部６４に挿通された第２の連結紐５０が自由にスライドし、押した状態を解除した場合には、第２の連結紐５０が係止される構造を有している。このように構成することで、片手で容易に締め付けを緩めることができるなど、簡便に長さ調整を行うことができる。また、第２の連結紐調整部材６０Ａは、市販品のコードストッパーを流用することができるので、小型、軽量化かつ安価に実現することができる。
【００２８】
図３に示すバンド連結紐７０Ａは、前述したバンド連結紐７０と同様、掛けバンド１０，２０間を、装着時の使用者の背中位置において連結可能とするものである。具体的には、バンド連結紐７０Ａは、紐部７１とバックル部７２とを有している。紐部７１は、背中の締め付けに好適な素材（例えば、可撓性を有する布、皮、軟質合成樹脂など）および形状（例えば、長板形状）で構成されている。また、バックル部７２は、掛けバンド１０，２０間の紐部７１に取り付けられ、掛けバンド１０，２０間の紐部７１の長さを調整可能な構造を有している。なお、この紐部７１の長さを調整可能とする構造は、種々のベルトやバンドの長さ調整のためのものを採用することができる。このように長さ調整可能な構造を設けることで、掛けバンド１０，２０間の紐部７１の長さを使用者の体格に合わせた最適な長さに調整することができる。
【００２９】
第１の連結紐調整部材８０は、掛けバンド１０，２０の各々の一端部とフック部材４０との間の第１の連結紐３０の長さを調整可能にするものである。なお、楽器をバランスよく吊り下げるため、通常は、掛けバンド１０の一端部とフック部材４０間と、掛けバンド２０の一端部とフック部材４０間とが等しい長さとなるようにして使用されることになる。この第１の連結紐調整部材８０は、具体的には、楽器の吊り下げに耐え得る強度の素材（例えば、金属、硬質合成樹脂など）で構成されており、平面視で略五角形（より具体的には、ホームベース状）の薄板形状を有している。そして、その５つの頂点に沿って平面上に形成された５つの挿通孔８１，８２，８３，８４，８５を有している。この各挿通孔８１〜８５には、それぞれ第１の連結紐３０が挿通（詳細は後述する）されており、これにより、前述した長さ調整が可能となっている。このように、本実施形態では、第１の連結紐調整部材８０は、５つの挿通孔８１〜８５のみが形成されているため、第１の連結紐調整部材８０を小型化かつ軽量化することができる。
【００３０】
ここで、本実施形態での第１の連結紐３０の取り付け手順の一例について詳述する。まず、図４に示すように、第１の実施形態と同様に、第１の連結紐３０の一端部を掛けバンド１０の一端部に取り付ける。次に、第１の連結紐３０の他端部を第１の連結紐調整部材８０の挿通孔８１に裏側（図４に示す第１の連結紐調整部材８０の裏側）から通して、挿通孔８２に表側から通した後、フック部材４０の紐通し部４１に表側から挿通させて折り返す。そして、折り返した他端部を折り返し元の第１の連結紐３０の上側を通るようにクロスさせ、第１の連結紐調整部材８０の挿通孔８３に裏側から通して折り返した後、折り返し元の第１の連結紐３０の下側を通るようにクロスさせてから第１の連結紐調整部材８０の挿通孔８３に表側から通す。そして、その他端部を先ほどのクロスさせた部分の上側を通した後、フック部材４０の紐通し部４１に裏側から通して折り返し、折り返し元の下側を通るようにクロスさせて第１の連結紐調整部材８０の挿通孔８４に裏側から通した後、表側から挿通孔８５に通す。その他端部を第１の実施形態と同様に、掛けバンド２０の一端部に取り付ける。これにより、前述した長さ調整が可能な構成とする。
【００３１】
次に、本実施形態での第２の連結紐５０の取り付け手順の一例について詳述する。まず、先ほどと同様に、第２の連結紐５０の一端部を掛けバンド１０の他端部に取り付ける。次に、第２の連結紐５０の他端部をフック部材４０の紐通し部４１に挿通させる。そして、掛けバンド２０の取付孔２２に挿通させた後、第２の連結紐調整部材６０Ａの本体部６４に挿通させ、結び目を施すことなどにより、抜け防止を施す。これにより、掛けバンド１０の他端部と掛けバンド２０の他端部間を連結するとともに、第２の連結紐５０の長さ調整が可能な構成とする。
【００３２】
以上のように構成されている楽器支持具１Ａは、以下のようにして使用される。まず、第２の連結紐調整部材６０Ａにより第２の連結紐５０を緩めた状態において、フック部材４０が使用者の身体の前側に位置するように一対の掛けバンド１０，２０をそれぞれ両肩に掛ける。この際、バンド連結紐７０Ａは、バックル部７２を用いて紐部７１を使用者の体格に合う長さに調整しておくとともに、使用者の背中部分に位置するように調整しておく。また、前述した第１の実施形態と同様、第２の連結紐５０は、使用者の胸下辺りを通る位置となるようにし、第２の連結紐調整部材６０Ａを用いて第２の連結紐５０とともに掛けバンド１０，２０の締め付けを行う。そして、第１の連結紐調整部材８０を用いて、掛けバンド１０，２０とフック部材４０との間の距離を適切な長さに調整する。次に、フック部材４０（具体的には、フック部４２）に楽器を取り付け楽器支持具１Ａの装着を完了する。なお、楽器を取り付けた後に第１の連結紐調整部材８０を用いて長さ調整を行ってもよい。装着をやめる際には、楽器をフック部材４０から外し、第２の連結紐調整部材６０Ａを用いて第２の連結紐５０を緩めてから掛けバンド１０，２０をそれぞれ両肩から外す。
【００３３】
以上説明したように、本考案の実施の形態に係る楽器支持具１Ａによれば、前述した第１の実施形態の楽器支持具１と同様の作用効果を奏することができる。また、第１の連結紐調整部材８０により、掛けバンド１０，２０とフック部材４０との間の第１の連結紐３０の長さを調整することができるので、楽器の吊り下げ位置が演奏に適切な位置となるように容易に調整することができる。
【００３４】
本考案は、前述した実施の形態で説明したものに限らず、例えば、フック部材４０、第２の連結紐調整部材６０，６０Ａ、バンド連結紐７０，７０Ａおよび第１の連結紐調整部材８０の構造は、各役割を果たすものであれば、特に前述したものに限定するものではない。また、第１の連結紐３０へのフック部材４０および第１の連結紐調整部材８０の取り付けや、第２の連結紐５０へのフック部材４０および第２の連結紐調整部材６０，６０Ａの取り付け（結び方等）についても、前述したものに限定されるものではなく、各役割を果たすものであればよい。さらに、楽器支持具１，１Ａは、前述したように使用者の左側に第２の連結紐調整部材６０，６０Ａが位置するように装着するだけでなく、右側に位置するような構成であってもよい。例えば、楽器支持具１，１Ａをそれぞれリバーシブル構造とし、掛けバンド１０，２０を図示したものとは裏表反対に肩に掛け、使用者の右側に第２の連結紐調整部材６０，６０Ａがそれぞれ位置するように装着できるように構成してもよい。これにより、第２の連結紐調整部材６０，６０Ａを操作する手を使用者が選択することができるようになる。
【符号の説明】
【００３５】
１，１Ａ      楽器支持具
１０，２０      掛けバンド
１１，１２      取付孔
２１，２２      取付孔
３０      第１の連結紐
３１，３２      止め具
４０      フック部材
４１      紐通し部
４２      フック部
５０      第２の連結紐
５１      止め具
６０，６０Ａ      第２の連結紐調整部材
６１，６２，６３      挿通孔
６４      本体部
６５      係止部
７０，７０Ａ      バンド連結紐
７１      紐部
７２      バックル部
８０      第１の連結紐調整部材
８１，８２，８３，８４，８５      挿通孔
【図１】
0003214003.tif 000003
【図２】
0003214003.tif 000004
【図３】
0003214003.tif 000005
【図４】
0003214003.tif 000006